(57)【特許請求の範囲】
【請求項１】
野球場を模したゲーム盤本体に上面板と、
前記上面板略中央に投球部と、を有し、
前記投球部は、前記上面板に形成され、ボールを発射する発射穴と、該発射穴の周縁に前後方向に移動可能な発射カバーと、を有し、
前記発射カバーが後端に位置する場合には、前記ボールが前記発射カバーの内面に当たることなく空中に浮かせて、投球することができ、前記発射カバーが前端に位置する場合には、前記ボールが前記発射カバーの内面に当たって前記上面板を転がるように投球することを特徴とする野球ゲーム盤。
【請求項２】
前記上面板の下方に、長尺棒状に形成され、前後方向に移動可能な変化球杆を有し、
前記投球部の前記発射カバーは、前記変化球杆と連結されることを特徴とする請求項１に記載の野球ゲーム盤。
【請求項３】
前記投球部と前記バッティング部の中間位置の前記上面板の裏面に磁石を有することを特徴とする請求項１又は請求項２に記載の野球ゲーム盤。
【発明の詳細な説明】
【技術分野】
【０００１】
本発明は、盤面上で野球ゲームを行う野球ゲーム盤に関し、更に詳しくは、つまみの操作により、盤面上で投球、打球を行う野球ゲーム盤に関する。
【背景技術】
【０００２】
従来、野球場を模擬した盤面上で投球、打球、捕球等を行いながら野球ゲームが行えるように構成した野球ゲーム盤が種々存在する。このような野球ゲーム盤は、投球部、打球部、捕球部等種々の機構を備え、投手、打者、走者、野手等の人形をそれぞれ配備できるようにし、実際の野球のルールを模してゲームを楽しめるように構成されている。
【０００３】
本願出願人は、つまみの操作によって、捕球部へ向けて投球部からボールを発射し、発射されたボールをバッティング部で打ち返すことができるように構成した野球ゲーム盤を提案し、また、野球ゲーム盤の提供をしている（例えば、特許文献１参照）。
【０００４】
この野球ゲーム盤は、投球部とバッティング部との中間において、盤面の下方に設けた磁石を操作して発射されたボールをカーブさせたり、バッティング部の直前に設けたプレートを降下させてボールを盤面の下方に落とすことによりボールを陥落させたりする等の機能を有する。この機能により、投球されたボールを変化させてゲームとしての楽しみ方を増加させている。
【先行技術文献】
【特許文献】
【０００５】
【特許文献１】特開２０１２―１５２２９２号公報
【発明の概要】
【発明が解決しようとする課題】
【０００６】
上述の様に、従来の野球ゲーム盤は投球部から発射されたボールに変化を与えてゲームの面白味を高めている。しかしながら、投球部から発射されるボールは、バッティング部に向けた一方向にのみ発射され、発射されたボールは、盤面の下方に設けた磁石の位置を操作することによりその投球コースに変化が与えられるため、速い速度で発射されたボールは磁石の影響を受けにくく、一定のストライクコースを通過することとなる。従って、バッティング操作に慣れると、面白味に欠けることがあった。
【０００７】
本発明は、このような欠点を排除し、操作を比較的に容易としつつ、変化に富んだ投球を行って面白味の有る野球ゲームを楽しめる野球ゲーム盤を提供することを目的とする。
【課題を解決するための手段】
【０００８】
本発明の一つの態様に係る野球ゲーム盤は、野球場を模したゲーム盤本体に上面板と、前記上面板略中央に投球部と、を有し、前記投球部は、前記上面板に形成され、ボールを発射する発射穴と、該発射穴の周縁に前後方向に移動可能な発射カバーと、を有し、前記発射カバーが後端に位置する場合には、前記ボールが前記発射カバーの内面に当たることなく空中に浮かせて、投球することができ、前記発射カバーが前端に位置する場合には、前記ボールが前記発射カバーの内面に当たって前記上面板を転がるように投球する。
【発明の効果】
【０００９】
上記の態様によれば、発射カバーを前後に移動させることにより、ボールが発射される発射穴の上方を開放したり覆ったりすることができるので、発射穴の上方を開放した場合には空中にボールが浮くように投球することができ、発射穴の上方が覆われた場合には上面板上をボールが転がるように投球することができる。従って、さらに変化に富んだ投球により、野球ゲームをより一層楽しむことができる。
【図面の簡単な説明】
【００１０】
【図１】本発明の第１の実施形態に係る野球ゲーム盤の上面斜視図。
【図２】本発明の第１の実施形態に係る野球ゲーム盤の一部断面上面図。
【図３】本発明の第１の実施形態に係る野球ゲーム盤のバッティング機構及び投球機構を示す図。
【図４】本発明の第１の実施形態に係る野球ゲーム盤のバッティング機構及び投球機構を示す分解図。
【図５】本発明の第１の実施形態に係る野球ゲーム盤の投球機構の要部を示す分解図。
【図６】本発明の第１の実施形態に係る野球ゲーム盤のボール発射動作を示す図。
【図７】本発明の第２の実施形態に係る野球ゲーム盤の上面斜視図。
【図８】本発明の第２の実施形態に係る野球ゲーム盤のバッティング機構及び投球機構を示し、変化球杆の位置がデフォルトの位置である図。
【図９】本発明の第２の実施形態に係る野球ゲーム盤のバッティング機構及び投球機構を示す分解図。
【図１０】本発明の第２の実施形態に係る野球ゲーム盤のバッティング機構及び投球機構を示し、変化球杆の位置を前方に移動させた図。
【図１１】本発明の第２の実施形態に係る野球ゲーム盤のバッティング機構及び投球機構を示し、変化球杆の位置を後方に移動させた図。
【発明を実施するための形態】
【００１１】
（第１の実施形態）
本発明の第１の実施形態に係る野球ゲーム盤は、図１に示すように、野球場を模したゲーム盤本体１０を有する。ゲーム盤本体１０は、バッティング部３５や投球部４１を設けるグランド部、及び、グランド部の周囲に設けられるスタンド部１５、更に、投球部４１の後方に位置するバックスクリーン１７などを形成した上面板１１と、上面板１１の周囲から上下方向に設けられる本体周壁部１３を有する。
【００１２】
尚、本発明の実施形態において、前後左右の方向は、投球部４１からバッティング部３５の方向を向いたピッチャーの視線に合わせ、バッティング部３５の方向を前方として説明する。
【００１３】
上面板１１には、バッティング部３５の前方に３個の捕球部２３としての窪みが形成されている。発射されたボールが中央の窪みに入れば「ストライク」、左右の窪みに入れば「ボール」がカウントされる。
【００１４】
また、上面板１１には、グラウンド部のファースト、セカンド、サード、ショート、センター、ライト、レフトの野手位置にも野手捕球部２１として窪みが形成されている。打球が野手捕球部２１に入ると「アウト」がカウントとされる。
【００１５】
そして、野手捕球部２１の後方には、野手を模した人形を差込み固定する野手立設部３１として穴が各野手捕球部２１に３個ずつ設けられている。
【００１６】
更に、上面板１１には、ライトスタンド及びレフトスタンドの直前のグランド部に、スタンド部１５に沿って受入口２５として複数の窪みが形成されている。ファールゾーンに位置する受入口２５は「ファール」とされ、フェアゾーンに位置する受入口２５は、適宜、「アウト」「一塁打」「二塁打」「三塁打」などとされる。
【００１７】
そして、上面板１１には、グランド部の一塁、二塁、三塁、の各塁の位置に、ランナーを模した人形を差し込み可能とする走者立設部３３として穴が設けられている。
【００１８】
また、上面板１１には、グランド部のホームベースの位置に、バッティング部３５が設けられている。バッティング部３５には、図示しないホームベースが描かれ、ホームベースの後方に可動プレート１５１を配置している。
【００１９】
そして、上面板１１の上面には、ホームベースの左右に、後述する回転軸９３の上端が露出されている。この回転軸９３の中心に設けた回転穴９５に、図示しない模擬バット若しくは模擬バットを有するバッター人形を差し込み、模擬バットの回転を可能とする。
【００２０】
更に、上面板１１の略中央には、投球部４１が設けられている。投球部４１には、ボールを発射する発射穴４４が上面板１１に設けられている。発射穴４４は、発射部４３を形成する。また、投球部４１には、発射穴４４を覆う発射カバー４７と、上面板１１の下方に後述する発射機構と、発射カバー４７の後方にボール収納部４５とが設けられている。
【００２１】
ボール収納部４５は、上面板１１の上面に立設する周壁部４６を有し、複数個のボールを周壁部４６により囲むことができる。更に、ボール収納部４５の底部が傾斜面とされ、ボール収納部４５の内部に設けるボール充填穴からボールが上面板１１の下方に落下可能とされる。
【００２２】
そして、バックスクリーン１７の後方において、上面板１１の外側に上面板１１の高さよりも低い高さの投球操作部５５が形成される。投球操作部５５には、投球ツマミ１４３と変化球ツマミ１８５とが配置されている。捕球部２３前方において、上面板１１の外側に上面板１１の高さよりも低い高さの打撃操作部５１が形成される。打撃操作部５１には、打撃ツマミ８９が配置されている。
【００２３】
打撃ツマミ８９は、後述するバッティング機構の打撃アーム８１の先端に形成され、打撃操作穴５２から打撃操作部５１の上方に突出する。投球ツマミ１４３は、後述する投球機構の投球杆１３１の後端に形成され、投球操作穴５６から投球操作部５５の上方に突出する。変化球ツマミ１８５は、変化球杆１８１の後端に形成され、変化球操作穴５７から投球操作部５５の上方に突出する。
【００２４】
尚、打撃操作穴５２及び変化球操作穴５７は、打撃ツマミ８９及び変化球ツマミ１８５を前後にのみ移動可能とするように、打撃ツマミ８９及び変化球ツマミ１８５の前後方向にのみ長い長穴とされる。投球操作穴５６は、投球ツマミ１４３を前後左右に移動可能とするように、投球ツマミ１４３の前後方向に長く、かつ左右方向に広い長穴とされる。
【００２５】
バッティング機構は、図２及び図３に示すように、打撃操作部５１の下方からバッティング部３５の下方を介して、上面板１１の下方に配置される。更に、バッティング機構は、バッティング部３５と投球部４１との中間下方までの上面板１１の裏面を覆うように設けるバッティング機構カバー６０に収納される。
【００２６】
バッティング機構カバー６０は、図４に示すように、前方に突出し、捕球部２３の下方を覆うように左右に幅が広がっている。バッティング機構カバー６０の長さは、バッティング部３５と投球部４１との中間に至る長さとする。バッティング機構カバー６０の前端は、ゲーム盤本体１０の角部に合わせて三角形とし、バッティング機構カバー６０の後端は、円弧状とする。更に、バッティング機構カバー６０は、平板の底板６１と、この底板６１の周縁に立設された周壁６３とを有する。
【００２７】
そして、バッティング機構カバー６０は、底板６１の後端近傍に、投球部４１とバッティング部３５との中間で発射穴４４とホームベースの中心とを結ぶ線上の上面板１１の下面に固着させる磁石６８を保持する磁石保持部６５を有する。磁石保持部６５は、上方に突出している。
【００２８】
また、バッティング機構カバー６０は、磁石保持部６５の前方に前後方向に溝を形成するように前後方向に延びる２本の棒状の操作杆規制部７８を有し、底板６１の略中央左右に可動プレート１５１の平板部１５３を上面板１１の高さに支持するプレート支持部７５を有し、プレート支持部７５の左右外側と底板６１の前端部近傍とには前後方向に延びる棒状のアーム誘導部７１を有する。アーム誘導部７１により打撃アーム８１を左右から挟持することで、打撃アーム８１が前後方向に摺動可能に支持される。
【００２９】
更に、バッティング機構カバー６０は、底板６１の略中央に設けたプレート支持部７５の左右外側に設けたアーム誘導部７１の更に左右外側に、回転軸受部７３を有する。回転軸受部７３により回転軸９３の下端が回転可能に支持される
【００３０】
そして、打撃アーム８１は、前方を前後方向に延びる棒状の基部本体部８３とし、基部本体部８３の前端から上方に立設させた打撃ツマミ８９を有し、基部本体部８３の後端から更に後方に向けて左右に間隙を有して平行に配置される２本の棒状とされた平行本体部８５を有し、平行本体部８５の外側面にラック部８７を有する。
【００３１】
打撃アーム８１は、基部本体部８３の両側を底板６１前端近傍に設けたアーム誘導部７１に挟持され、平行本体部８５の両外側を各々底板６１の略中央左右に設けたアーム誘導部７１に挟まれるように規制され、図２及び図３に示したように、平行本体部８５の後端に配置する打撃バネ７９によりバッティング機構カバー６０の後方に付勢される。
【００３２】
従って、基部本体部８３の前端から立設された打撃ツマミ８９の上端が打撃操作部５１の打撃操作穴５２から打撃操作部５１の上方に突出した状態とし、打撃ツマミ８９が指先で前方に移動され、打撃バネ７９が伸びた状態で指が打撃ツマミ８９から離されると、打撃バネ７９により打撃アーム８１はゲーム盤本体１０の後方へ急速に移動する。
【００３３】
また、底板６１の中央左右に設けたアーム誘導部７１の外側に配置され、打撃アーム８１の平行本体部８５の外側に位置する回転軸受部７３には、図２及び図３に示したように回転軸９３を取り付ける。
【００３４】
回転軸９３は、軸中心を上下方向として水平方向に回転可能に回転軸受部７３に支持されるものであって、打撃アーム８１に設けたラック部８７と噛合するピニオン部９１を有し、回転軸９３の上端中心には回転穴９５を有する。回転軸９３の上端は、上面板１１の上面に露出させる。
【００３５】
尚、打撃アーム８１の前後移動によって、この回転軸９３が回転する角度は１５０度乃至１８０度程度とされる。
【００３６】
そして、バッティング機構カバー６０の内部に、変化球機構とする可動プレート１５１が収納される。
【００３７】
可動プレート１５１は、図４に示すように、長方形の平板形状とされる平板部１５３を有し、平板部１５３の後端左右に外側に突出する突起状の軸部１５５を有する。可動プレート１５１は、軸部１５５により、軸部１５５を中心に平板部１５３の前端を上下方向に回動可能として底板６１に設けたプレート支持部７５に支持される。
【００３８】
そして、平板部１５３が底板６１と平行で水平なとき、平板部１５３の上面は上面板１１の上面と同一面とする。平板部１５３は、上面板１１に設けた長方形の穴と同一の大きさとし、上面板１１の一部は平板部１５３で形成される。変化球ツマミ１８５を操作することにより、ボールがバッティング部３５において上面板１１の下に落下可能となる。
【００３９】
また、この平板部１５３の前端は、平板部１５３の上面よりも低い位置で前方に僅かに突出する係止部１５７を有する。係止部１５７を上面板１１の下面に当接することで、平板部１５３の前端が上面板１１よりも上方に回動することを阻止している。
【００４０】
更に、可動プレート１５１は、平板部１５３の後端から下方に垂下する板状の垂下部１６１を有する。垂下部１６１の後方面に変化球杆１８１の前端である押圧部１８３が当接される。
【００４１】
変化球杆１８１は、長尺棒状の形状とされ、前端部及びその近傍部分がバッティング機構カバー６０の内部に収納され、図３に示したように、プレート保持バネ１６５により前方に付勢される。変化球杆１８１の前端である押圧部１８３を可動プレート１５１における垂下部１６１の後面に当接させることで、垂下部１６１の下方が前方へ押圧される。
【００４２】
尚、変化球杆１８１の先端である押圧部１８３の下方は、バッティング機構カバー６０の底板６１に設けた前後方向の溝を形成する操作杆規制部７８に挟まれ、押圧部１８３は左右方向への移動が規制されて前後方向のみに移動可能とされる。
【００４３】
上記の構成により、垂下部１６１の下端は変化球杆１８１の前端により前方に押圧され、通常は、平板部１５３の上面が上面板１１の上面と同一平面を形成している。しかし、変化球杆１８１が後退すると、平板部１５３は自重によりその前端を降下させるように回動する。
【００４４】
そして、平板部１５３は、平板部１５３の前端が降下したとき、降下した前端が誘導部材１７１に当接する。
【００４５】
誘導部材１７１は、図２及び図３に示したように、平板部１５３の幅に合わせた入口部１７２を備えた誘導路１７３を有する。誘導路１７３の両側が段部１７４とされることで、ボールが誘導路１７３に沿って転がるようにしている。誘導路１７３は、３個の捕球部２３の内の左の捕球部２３である「ボール」カウントの捕球部２３にボールを導くようにしている。
【００４６】
また、変化球杆１８１の後端部分近傍は、投球操作部カバー１００に収納される。変化球杆１８１の後端近傍に立設された変化球ツマミ１８５が投球操作部５５の変化球操作穴５７から投球操作部５５の上方に突出する。
【００４７】
そして、投球操作部カバー１００は、投球操作部５５と同じ横幅とされ、投球操作部５５から投球操作部５５と投球部４１との中間までの前後長さとされる略長方形の底板１０１と、この底板１０１の周囲に立設された周壁１０３を有する。投球操作部カバー１００は、投球操作部５５及び投球操作部５５から投球操作部５５と投球部４１との中間までの上面板１１の裏面を覆うカバーであって、変化球杆１８１の後端近傍や投球杆ホルダー１１１の後端部分及び投球杆１３１の後端部分を収納する。
【００４８】
底板１０１の中間部側方に、前後方向に僅かな長さを有する操作杆規制突起１０９が設けられる。変化球杆１８１の後端近傍部分の下面に設けた溝に操作杆規制突起１０９が挿入されることで、変化球杆１８１が前後方向にのみ移動可能とする。
【００４９】
また、底板１０１の前端中央部分に相当する周壁１０３に、上方を広くし、段部を介して下方の幅を僅かに狭くした切欠き部分１０４が設けられる。底板１０１の前端近傍の中央部分に、円柱状の回動軸受１０７が設けられている。
【００５０】
回動軸受１０７に支持される投球機構は、長尺棒状の投球杆１３１と投球杆１３１を保持する投球杆ホルダー１１１で形成される。投球杆１３１は、投球操作部５５の内部から投球部４１の下方に至る長さで形成されている。
【００５１】
この投球杆ホルダー１１１は、図４及び図５に示すように、長尺板状の底部１１３と底部１１３の左右両側に立設された長尺板状の側壁部１１５を有する。この底部１１３と底部１１３の左右に設けた側壁部１１５により、長尺棒状の投球杆１３１が保持され、投球杆１３１が前後方向にのみ移動可能とする。
【００５２】
尚、側壁部１１５の高さはボール１８９の直径よりも僅かに大きくし、左右の側壁部１１５内側の間隔はボール１８９の直径と略等しくすることで、投球杆ホルダー１１１の内部に投球杆１３１と共にボール１８９が収納可能とされる。
【００５３】
そして、この投球杆ホルダー１１１は、底部１１３の中央やや後方に回動軸穴１１７を有する。投球杆ホルダー１１１は、この回動軸穴１１７により投球操作部カバー１００に設けた回動軸受１０７に取り付けられ、左右に各々５度程度の範囲で回動可能とされる。
【００５４】
尚、回動軸穴１１７を中心とする円を形成するように側壁部１１５から円弧状に両外側に突出する鍔部１１８が設けられる。投球操作部カバー１００の周壁１０３における前端中央部分に設けた切欠き部分１０４の段部に鍔部１１８が載置された状態で、投球杆ホルダー１１１が切欠き部分１０４に挿入され、投球杆ホルダー１１１の回動が安定する。
【００５５】
また、投球杆ホルダー１１１は、底部１１３の前端近傍に傾斜部１２１を有する。傾斜部１２１は、緩やかに湾曲して底部１１３から上昇する形状とされて側壁部１１５よりも僅かに高い先端を前方に有する。この先端は、上面板１１の上面近くまでの高さとされ、上面板１１の発射穴４４に位置される。
【００５６】
尚、傾斜部１２１は、投球杆ホルダー１１１の軸線に沿って中央に前後方向の溝を有し、左右の側壁部１１５に沿って形成される。この溝に後述する投球杆１３１の先端突起１３７が挿入可能とされる。
【００５７】
そして、側壁部１１５の前端には、側壁部１１５の上端から各々左右に広がるカバー板１１９が設けられる。左右の側壁部１１５よりも広い左右幅とされる発射穴４４に対し、側壁部１１５外側に生じる開口をカバー板１１９で塞ぐようにして、投球杆ホルダー１１１の前端を発射穴４４の下方で左右に移動させても、側壁部１１５の外側に発射穴４４の開口が生じないようにしている。
【００５８】
また、投球杆ホルダー１１１は、カバー板１１９の後端よりも僅かに後方においてボール受部１２３を有する。ボール受部１２３は、左右の側壁部１１５の上方を各々左右に広げ、左右の側壁部１１５の上方の間隙を広げることにより、形成されている。
【００５９】
ボール受部１２３は、上面板１１のボール収納部４５の前端に設けた透孔であるボール充填穴４９（図６参照）の下方に配置される。ボール受部１２３により、投球杆ホルダー１１１の回動軸穴１１７を中心に投球杆ホルダー１１１の前端を左右に移動させた場合にも、ボール充填穴４９から落下するボール１８９を左右の側壁部１１５の間に確実に落下させることができるようにする。
【００６０】
更に、投球杆ホルダー１１１は、ボール受部１２３よりも後方において、底部１１３から突出する２本の棒状体によるバネ受け部１２５を有する。バネ受け部１２５により、投球杆１３１を前方に付勢する投球バネ１４５の後端を保持する。
【００６１】
そして、投球杆１３１の前端近傍部分には、図４及び図５に示すように、角柱形状の投球本体部１３３が形成されている。投球本体部１３３の左右幅は、ボール１８９の直径と略等しくしている。
【００６２】
また、投球本体部１３３は、投球杆１３１の軸方向に沿って投球バネ１４５の伸長時長さに近い前後方向長さとされる溝穴であって、投球本体部１３３の上面から下面に貫通する溝穴とされたバネ収納部１３４を有する。更に、投球本体部１３３は、バネ収納部１３４の前端壁から後端壁の近くまで伸びる棒状のバネ保持部１３５をバネ収納部１３４の内部に有する。
【００６３】
バネ保持部１３５は、つる巻状の投球バネ１４５を貫通し、バネ保持部１３５の後端が投球杆ホルダー１１１の底部１１３に設けたバネ受け部１２５である２本の棒状体の間に挿入される。投球バネ１４５の前端をバネ収納部１３４の前端壁に当接し、投球バネ１４５の後端をバネ受け部１２５に当接させて、投球バネ１４５を僅かに圧縮状態として保持する。
【００６４】
そして、投球杆１３１は、投球本体部１３３の前端中央部から前方に突出する板状の先端突起１３７を有し、先端突起１３７の前後方向中間部に、先端突起１３７の上方からＵ字形状に切欠くことにより形成したボール保持部１３８を有する。
【００６５】
また、先端突起１３７は、ボールの直径よりも大きな高さを有し、ボール保持部１３８よりも前方部分の先端突起１３７の高さは低くされる。
【００６６】
そして、ボール保持部１３８よりも後方部分の先端突起１３７の上端近傍から左右方向に僅かに突出する板状の穴塞ぎ部１３９が設けられる。穴塞ぎ部１３９の上面は、投球本体部１３３の上面と同一高さとし、先端突起１３７の上端面は、投球本体部１３３の上面よりも僅かに高くしている。
【００６７】
先端突起１３７の上端面を上面板１１の裏面に僅かに接触させて、先端突起１３７の上端面と穴塞ぎ部１３９とにより、ボール充填穴４９の下方を塞ぐことができるようにしている。
【００６８】
尚、先端突起１３７は、投球杆ホルダー１１１の前端に設けた傾斜部１２１の中央に設けた前後方向の溝に挿入可能な左右方向の厚みとされる。
【００６９】
そして、投球杆１３１は、投球本体部１３３から後方に延びる連結部１４１を有し、連結部１４１の後端から上方に立設される投球ツマミ１４３を有する。
【００７０】
投球ツマミ１４３は、扇方形状とされるツマミ保護板１４７のツマミ挿入穴１４９を貫通して、投球ツマミ１４３の上端を投球操作部５５の投球操作穴５６から上方に突出させる。
【００７１】
尚、ツマミ保護板１４７に設けたツマミ挿入穴１４９は、前後方向に長軸を有する長穴とされ、投球杆１３１の後端に設けた投球ツマミ１４３と共に左右に移動可能とされる。一方、ツマミ挿入穴１４９の前後方向の移動は、投球操作部５５の上面板裏側に設けた突出部に規制される。ツマミ保護板１４７は、投球ツマミ１４３が前後左右に移動可能とされる投球操作穴５６に生じる投球杆１３１の左右部分の間隙を塞ぐ。
【００７２】
従って、投球杆１３１の後端を左右に移動させても投球操作穴５６における投球杆１３１の左右に生じる間隙をツマミ保護板１４７で塞ぎつつ、投球ツマミ１４３をツマミ挿入穴１４９に沿った前後移動を可能とすることができる。
【００７３】
そして、この投球機構を備えた野球ゲーム盤では、まず、図６の（ａ）に示した投球杆１３１が投球杆ホルダー１１１の前方に位置して先端突起１３７の後方近傍の上端面や穴塞ぎ部１３９がボール充填穴４９を塞いでいる状態から、指で投球ツマミ１４３を操作して投球バネ１４５を一層圧縮するように投球杆１３１を後方に移動させる。次に、図６の（ｂ）に示すように、ボール保持部１３８がボール充填穴４９の下方に位置するように投球本体部１３３を後退させると、ボール充填穴４９からボール１８９がボール保持部１３８に落下する。
【００７４】
このとき、投球杆ホルダー１１１のボール受部１２３は、側壁部１１５の上方を左右に広げてボール１８９の直径よりも広い幅とされているため、ボール１８９を投球杆ホルダー１１１の左右の側壁部１１５の間に確実に落下させることができる。更に、ボール受部１２３は上方を左右に広げているが、下方はボール１８９の直径に合わせた側壁部１１５の幅としているため、ボール受部１２３に落下したボール１８９の左右を側壁部１１５により確実に規制することができる。
【００７５】
また、落下したボール１８９は、投球杆１３１の投球本体部１３３の前方に設けた先端突起１３７に形成されたボール保持部１３８に保持される。そして、落下したボール１８９は、後方がボール保持部１３８の後方立ち上り部分で規制され、ボール保持部１３８の下端に形成された半球形状に収納されるため、前後方向の移動も確実に規制さるように位置が決定され、次のボール１８９がボール充填穴４９から落下することを阻止する。
【００７６】
次に、図６の（ｃ）に示すように、投球杆１３１を僅かに前方に移動させるように投球ツマミ１４３の位置を調整すると、先端突起１３７の上端面や穴塞ぎ部１３９によりボール充填穴４９の下方を塞ぎ、ボール保持部１３８に１個だけのボール１８９を保持し、投球杆１３１の前後位置を調整することにより投球バネ１４５の圧縮状態を調整することができる。
【００７７】
この様に投球ツマミ１４３の位置を調整して投球杆１３１の前後位置を調整し、投球ツマミ１４３から指を離すと、投球杆１３１は圧縮された投球バネ１４５の弾発力により、前方へ移動し、図６の（ｄ）に示すように、ボール保持部１３８を形成した先端突起１３７を傾斜部１２１の溝に挿入することになる。
【００７８】
このため、ボール保持部１３８に保持されたボール１８９は傾斜部１２１に沿って上昇し、発射穴４４から上面板１１の上面に飛び出すように放出され、発射カバー４７の内面に当たって、投球部４１からバッティング部３５に向けて上面板１１を転がるようにして発射されることになる。
【００７９】
そして、この投球杆１３１は、投球杆ホルダー１１１と共に投球部４１からバッティング部３５に描かれたホームベースの中央に向けた軸線に対して左右方向に各々５度程度だけ投球操作部５５と投球部４１との中間に位置する回動軸穴１１７を中心として回動可能とされているため、ボール１８９の発射方向をホームベースの中央に向けるだけでなく、左右に僅かにホームベースの中央から外す方向にボール１８９を発射することができる。
【００８０】
更に、投球部４１とバッティング部３５とのほぼ中間位置の上面板１１裏面には、磁石６８を固定している。磁石６８により、ホームベース中央に向けて発射したボール１８９は磁石６８の真上を通過して直進するが、僅かに左右にずらせた方向に発射されたボール１８９は、磁石６８の中心からずれた位置を通過するため、磁石６８により進行コースが曲げられることになる。
【００８１】
そして、発射速度が遅いと磁石６８の影響を大きく受け、発射速度が速いと磁石６８の影響が小さくなるため、発射方向を変化させてストライクコースの真ん中へのストレートボールの投球だけでなく、アウトコースやインコースへのストレートに近い早い球や、アウトコースやインコースへの緩い球でコースを変化させる変化球の投球を模した発射が可能となる。
【００８２】
また、この野球ゲーム盤は、投球操作部５５と投球部４１との中間を回転中心として左右に回転揺動可能とした投球機構を上面板１１の下に設けており、発射穴４４を覆う発射カバー４７を設けているため、投球方向を打者側遊技者に判別し難くし、ボール１８９を傾斜部１２１により上面板１１の下から発射穴４４を介して上面板１１の上に発射することができる。
【００８３】
更に、変化球ツマミ１８５を後方に引き、変化球杆１８１を後方に移動させると可動プレート１５１の前端が降下し、バットの旋回範囲でボール１８９を上面板１１の下に落として空振りをさせることもでき、変化に富んだ投手と打者との対決ゲームを楽しむことができる。
【００８４】
そして、投球ツマミ１４３を左右に移動させつつ、指先で投球バネ１４５の圧縮強さを調整するように投球ツマミ１４３の前後位置を調整することにより、インコースやアウトコースの投球方向と、ボールスピードに緩急を与えることができ、ストレートの速度やカーブ又はシュートの変化度を調整することができることとなり、投球ツマミ１４３の位置を前後左右に位置調整する単純な操作で、種々のボールの投球を行って楽しむことができる。
【００８５】
（第２の実施形態）
次に、本発明の第２の実施形態に係る野球ゲーム盤を説明する。図７に示すゲーム盤本体２００は、第１の実施形態に係るゲーム盤本体１０の発射カバー４７に換えて、前後移動可能な発射カバー２４７としたものである。このゲーム盤本体２００は、発射カバー２４７が後端に位置する場合には、ボールを空中に浮かせて、投球部４１とバッティング部３５の間でボールがバウンドするように投球することができる。発射カバー２４７が前端に位置する場合には、第１の実施形態と同様に、ボールが転がるように投球することができる。
【００８６】
従って、以下の説明においては発射カバー２４７が前後移動する構造を中心に説明し、第１の実施形態で説明した部材等については同じ符号を付して、その説明は省略又は簡略化する。
【００８７】
図７において、発射カバー２４７は、発射穴４４における前後方向に長い左右２箇所の縁部２４４により、前後方向に移動可能に支持されている。具体的には、縁部２４４に、上方向に平坦部を有する縦断面視Ｌ字状の段部を前後に長く形成し、この段部の平坦部に沿って発射カバー２４７の左右２箇所の端縁下面がスライド可能に支持されるよう構成されている。
【００８８】
図８，図９に示すように、発射カバー２４７は、その基部の左側辺から左方に突出される連結部２４８が形成されている。連結部２４８は、発射カバー２４７の基部の左側辺から左方に突出される板状の水平板２４１と、この水平板２４１の左側辺から下方垂直に延設される垂直板２４２と、この垂直板２４２の左側に設けられる連結ブロック２４３により形成されている。
【００８９】
連結ブロック２４３は、前後に長い矩形のスライド穴２４９が形成されている。このスライド穴２４９には、長尺棒状に形成される変化球杆２８１の中央やや前よりの位置から上方に突出するスライド突起２８７がスライド可能に係合されている。従って、発射カバー２４７は、このスライド穴２４９の前後の長さ分だけ、変化球杆２８１に対して相対的に前後移動可能とされて、変化球杆２８１に連結されている。
【００９０】
また、発射カバー用バネ２４６は、両端に環状の係止部が形成されている。発射カバー用バネ２４６は、その両端の係止部の一端を連結部２４８よりも後方に形成される図示しない上面板１１の下面の係止部に係止され、その両端の係止部の他端を連結部２４８の水平板２４１前端付近における水平板２４１の下面に形成される係止部２４５と係止される。これにより、発射カバー２４７は、後方に付勢される。
【００９１】
一方、変化球杆２８１の前端部分には、押圧部材２８０が連結されている。押圧部材２８０は、略平板状に形成されている。押圧部材２８０の右側前端部分は押圧部２８３とされ、可動プレート１５１の垂下部１６１の後面に当接可能に形成されている。
【００９２】
押圧部材２８０の左側辺部には、連結ブロック２８６が設けられている。連結ブロック２８６には、前後に長い矩形のスライド穴２８２が開けられている。このスライド穴２８２には、変化球杆２８１の前端部分近傍に上方に向けて突設されるスライド突起２８５がスライド可能に係合されている。従って、押圧部材２８０は、このスライド穴２８２の前後長さ分だけ変化球杆２８１に対して相対的に前後移動可能とされている。
【００９３】
また、押圧部材用バネ２６５は、両端に環状の係止部が形成されている。押圧部材用バネ２６５は、その環状の係止部の一端を押圧部材２８０よりも前方に形成される図示しない上面板１１の下面の係止部に係止され、その環状の係止部の他端は押圧部材２８０の上面に設けられた係止部２８４に係止される。これにより、押圧部材２８０は、前方に付勢される。
【００９４】
ここで、図８の状態では、発射カバー用バネ２４６及び押圧部材用バネ２６５は自然長とされる。従って、変化球杆２８１，発射カバー２４７及び押圧部材２８０の前後方向の位置は、図８の状態がデフォルトとなる。このデフォルトの状態においては、発射カバー２４７の連結部２４８におけるスライド穴２４９の前端に変化球杆２８１のスライド突起２８７が当接され、押圧部材２８０のスライド穴２８２の後端に変化球杆２８１のスライド突起２８５が当接している。このとき、発射カバー２４７は後退端に位置しており、傾斜部１２１の前方側上方は開放されている。さらに、押圧部材２８０は前方端に位置しており、押圧部２８３が可動プレート１５１の垂下部１６１の後面に当接される。
【００９５】
図８の状態で投球ツマミ１４３を後方に引いて投球操作を行うと、傾斜部１２１の前方側上方は開放されているので、傾斜部１２１に沿って上昇したボールは、発射カバー２４７の内面に当たることなく、発射穴４４からそのまま空中に放出され、投球部４１とバッティング部３５の間でバウンドするように投球される。
【００９６】
次に、図８のデフォルトの状態から変化球杆２８１の変化球ツマミ１８５を前方に移動させると、図１０に示す状態となる。このとき、デフォルトの位置ではスライド穴２４９の前端にスライド突起２８７が当接されているので、発射カバー２４７は変化球杆２８１と共に前方に移動する。
【００９７】
さらに、押圧部材２８０は、デフォルトの位置ではスライド穴２８２の後端にスライド突起２８５が位置しているので、変化球杆２８１が前方に移動しても、押圧部材２８０は移動しない。そして、変化球杆２８１は、スライド穴２８２の前端にスライド突起２８５が当接するまで前方側に移動する。
【００９８】
このとき、傾斜部１２１の前方側上方は、発射カバー２４７により覆われることとなる。従って、図１０の状態で投球操作を行うと、傾斜部１２１に沿って上昇したボールは、発射穴４４から放出された後、発射カバー２４７の内面に当たって、上面板１１を転がるようにして投球される。
【００９９】
次に、図８のデフォルトの状態から変化球杆２８１の変化球ツマミ１８５を後方に移動させると、図１１に示す状態となる。このとき、デフォルトの位置ではスライド穴２４９の前端にスライド突起２８７が当接されているので、発射カバー２４７は変化球杆２８１と共に後方に移動しない。そして、変化球杆２８１は、スライド突起２８７がスライド穴２４９の前端から後端に当接するまで移動する。
【０１００】
さらに、押圧部材２８０は、デフォルトの位置ではスライド穴２８２の後端に変化球杆２８１のスライド突起２８５が当接されているので、変化球杆２８１と共に後方に移動する。すると、押圧部材２８０の押圧部２８３が可動プレート１５１の垂下部１６１の後面から離間して、自重により可動プレート１５１の平板部１５３が下方に移動する。
【０１０１】
このとき、傾斜部１２１の前方側上方は、開放されている。従って、図１１の状態で投球操作を行うと、傾斜部１２１に沿って上昇したボールは、発射穴４４からそのまま空中に放出され、投球部４１とバッティング部３５の間でバウンドするように投球される。そして、可動プレート１５１の平板部１５３が下方に下がっているので、投球操作により発射されたボールは、バッティング部３５において上面板１１の下に落下する。
【０１０２】
このようにして、発射カバー２４７を変化球杆２８１の操作により前後に動かすことにより、投球部４１から発射されるボールを空中に向けて発射させたり、上面板１１上を転がるようにして発射させたり変化させることができ、第１の実施形態に比べてより一層変化に富んだ投球をさせることができる。
【０１０３】
なお、投球部４１から上面板１１上を転がるようにボールを発射させて、可動プレート１５１により上面板１１の下に落下させる場合には、一旦変化球ツマミ１８５を前方に移動させて投球ツマミ１４３によりボールを発射させて、その後すぐに変化球ツマミ１８５を後方に移動させて可動プレート１５１の平板部１５３を下方に下げることで、ボールを上面板１１の下に落下させることができる。
【０１０４】
また、本実施形態においては、変化球杆２８１の先端に可動プレート１５１を動作させるための押圧部材２８０等の構造を設けているが、本発明はこれに限られるものではない。例えば、変化球杆２８１は発射カバー２４７のみと固定的に連結させ、可動プレート１５１を動作させる押圧部材２８０を動作させる部材は、別途設けるように構成する、又は可動プレート１５１を設けることなく、上面板１１からボールが落下しないようにすることもできる。
【０１０５】
以上のような本発明の実施形態によれば、下記の実施形態の野球ゲーム盤を提供することができる。
【０１０６】
本実施形態に係る野球ゲーム盤は、野球場を模したゲーム盤本体に上面板と、前記上面板略中央に投球部と、を有し、前記投球部は、前記上面板に形成され、ボールを発射する発射穴と、該発射穴の周縁に前後方向に移動可能な発射カバーと、を有し、前記発射カバーが後端に位置する場合には、前記ボールが前記発射カバーの内面に当たることなく空中に浮かせて、投球することができ、前記発射カバーが前端に位置する場合には、前記ボールが前記発射カバーの内面に当たって前記上面板を転がるように投球する。
【０１０７】
また、他の実施形態に係る野球ゲーム盤は、前記上面板の下方に、長尺棒状に形成され、前後方向に移動可能な変化球杆を有し、前記投球部の前記発射カバーは、前記変化球杆と連結される。
【０１０８】
これらの構成によれば、発射カバーを前後に移動させることにより、ボールが発射される発射穴の上方を開放したり覆ったりすることができるので、発射穴の上方を開放した場合には空中にボールが浮くように投球することができ、発射穴の上方が覆われた場合には上面板上をボールが転がるように投球することができる。従って、さらに変化に富んだ投球により、野球ゲームをより一層楽しむことができる。
【０１０９】
さらに、他の実施形態に係る野球ゲーム盤は、前記投球部と前記バッティング部の中間位置の前記上面板の裏面に、磁石を有する。
【０１１０】
この構成によれば、インコースやアウトコースへの投球に際し、ボールの速度により磁石の影響による投球コースの変化を加えることができ、より一層面白味の有る野球ゲームを楽しむことができる。
【０１１１】
以上、本発明の実施形態について説明したが、本発明は上記実施形態に限定されるものではなく、その要旨を逸脱しない限りにおいて、種々の変更が可能である。
【０１１２】
例えば、上記実施形態は、磁石６８を磁石保持部６５の上端に固定しているが、磁石６８を左右に移動させるようにすることもできる。磁石保持部６５の上端にＬ字状のリンク部材を設け、更に、このリンク部材は、磁石保持部６５から前方に延びるアームと磁石保持部６５から側方に延びるアームを備え、磁石保持部６５を回動軸として回動可能とする。磁石保持部６５から前方に延びるアームの先端に磁石６８を固定し、磁石保持部６５から側方に延びるアームの先端を棒状の操作杆の前端と係合させる。この操作杆を変化球杆１８１と平行として投球操作部カバー１００に操作杆の後端を収納し、操作杆の後端に立設する操作ツマミの先端を投球操作部５５の上面に突出させる。この操作ツマミを前後に操作することにより、磁石６８をバッティング部３５と投球部４１との間で左右に移動させる。
【０１１３】
そして、この構成によれば、磁石６８を固定している場合よりも、一層多くの変化投球の発射ができ、より一層面白味の有る野球ゲームを楽しむことができる。
【産業上の利用可能性】
【０１１４】
本発明は、アウトコースやインコースへのストレートのボールを模した投球が可能となり、投球に変化の幅を持たせて現実の投球を想像しながら楽しく野球ゲームを行うことができる野球ゲーム盤を提供することができる。
【符号の説明】
【０１１５】
１０  ゲーム盤本体
１１  上面板                          １３  本体周壁部
１５  スタンド部                      １７  バックスクリーン
２１  野手捕球部                      ２３  捕球部
２５  受入口                          ３１  野手立設部
３３  走者立設部                      ３５  バッティング部
４１  投球部
４３  発射部                          ４４  発射穴
４５  ボール収納部                    ４６  周壁部
４７  発射カバー                      ４９  ボール充填穴
５１  打撃操作部                      ５２  打撃操作穴
５５  投球操作部                      ５６  投球操作穴
５７  変化球操作穴
６０  バッティング機構カバー
６１  底板                            ６３  周壁
６５  磁石保持部                      ６８  磁石
７１  アーム誘導部                    ７３  回転軸受部
７５  プレート支持部                  ７８  プレート操作規制部
７９  打撃バネ
８１  打撃アーム                      ８３  基部本体部
８５  平行本体部                      ８７  ラック部
８９  打撃ツマミ                      ９１  ピニオン部
９３  回転軸                          ９５  回転穴
１００  投球操作部カバー
１０１  底板                          １０３  周壁
１０４  切欠き部分                    １０７  回動軸受
１０９  操作杆規制突起
１１１  投球杆ホルダー
１１３  底部                          １１５  側壁部
１１７  回動軸穴                      １１８  鍔部
１１９  カバー板                      １２１  傾斜部
１２３  ボール受部                    １２５  バネ受け部
１３１  投球杆
１３３  投球本体部                    １３４  バネ収納部
１３５  バネ保持部                    １３７  先端突起
１３８  ボール保持部                  １３９  穴塞ぎ部
１４１  連結部                        １４３  投球ツマミ
１４５  投球バネ                      １４７  ツマミ保護板
１４９  ツマミ挿入穴
１５１  可動プレート
１５３  平板部                        １５５  軸部
１５７  係止部                        １６１  垂下部
１６５  プレート保持バネ
１７１  誘導部材                      １７２  入口部
１７３  誘導路                        １７４  段部
１８１  変化球杆                      １８３  押圧部
１８５  変化球ツマミ
１８９  ボール
２００  ゲーム盤本体                  ２４１  水平板
２４２  垂直板                        ２４３  連結ブロック
２４４  縁部                          ２４５  係止部
２４６  発射カバー用バネ              ２４７  発射カバー
２４８  連結部                        ２４９  スライド穴
２６５  押圧部材用バネ                ２８０  押圧部材
２８１  変化球杆                      ２８２  スライド穴
２８３  押圧部                        ２８４  係止部
２８５  スライド突起                  ２８６  連結ブロック
２８７  スライド突起
【図１】
0005999825.tif 000002
【図２】
0005999825.tif 000003
【図３】
0005999825.tif 000004
【図４】
0005999825.tif 000005
【図５】
0005999825.tif 000006
【図６】
0005999825.tif 000007
【図７】
0005999825.tif 000008
【図８】
0005999825.tif 000009
【図９】
0005999825.tif 000010
【図１０】
0005999825.tif 000011
【図１１】
0005999825.tif 000012